(57)【要約】【課題】  患者の手に渡った後においても当該薬剤に関する情報のトレースを可能とする。【解決手段】  最小服用単位の薬剤２０を個別に収容可能な収容部１４ａ〜１４ｊを有する本体部１２と、本体部１２に収容された最小服用単位の薬剤２０ごとに固有の薬剤ＩＤを保持するＩＣタグ１６ａ〜１６ｊとを備える。本発明によれば、ＩＣタグ１６ａ〜１６ｊに保持された情報を読み出すことにより、単に薬剤２０の種類を識別するだけでなく、最小服用単位の薬剤２０を個々に識別することが可能となることから、院外処方箋薬のように、患者が病院や薬局から薬剤を持ち帰り、病院外で服用する薬剤についても、それがどのような薬剤であり、いつ誰が処方し、いつ誰が調剤した薬剤であるのか、使用期限はいつであるのか等をトレースすることが可能となる。【選択図】          図１
2005211601.tif 000002
【特許請求の範囲】
【請求項１】
最小服用単位の薬剤を個別に収容可能な本体部と、前記本体部に収容された最小服用単位の薬剤ごとに固有のＩＤを保持する手段とを備えることを特徴とする薬剤収容物。
【請求項２】
前記手段は、無線通信が可能なＩＣタグであることを特徴とする請求項１に記載の薬剤収容物。
【請求項３】
前記ＩＤには、少なくとも、薬剤の種類を示す情報及び使用期限を示す情報が含まれていることを特徴とする請求項１又は２に記載の薬剤収容物。
【請求項４】
前記本体部に収容された薬剤が院外処方箋薬であることを特徴とする請求項１乃至３のいずれか１項に記載の薬剤収容物。
【請求項５】
前記本体部は前記最小服用単位の薬剤を個別に複数収容可能であり、前記ＩＤ保持手段は、前記最小服用単位の薬剤ごとに設けられていることを特徴とする請求項１乃至４のいずれか１項に記載の薬剤収容物。
【請求項６】
前記本体部に収容された薬剤が経口剤であり、前記本体部は、１又は２以上の前記最小服用単位の経口剤ごとに分割可能な分割部を有していることを特徴とする請求項５に記載の薬剤収容物。
【請求項７】
前記ＩＤ保持手段は、前記最小服用単位の薬剤を個別に収容する各収容部間に存在する領域を避けて配置されていることを特徴とする請求項５又は６に記載の薬剤収容物。
【請求項８】
処方箋データを生成する手段と、調剤された薬剤に対して最小服用単位で個々に割り当てられた固有のＩＤを取得する手段と、前記処方箋データに含まれる処方内容と取得した前記ＩＤが示す薬剤の種類及び量とを照合し、その結果を報知する手段とを備えることを特徴とする薬剤管理システム。
【請求項９】
少なくとも前記ＩＤに基づいて生成された調剤データを、対応する前記処方箋データに関連づける手段をさらに備えることを特徴とする請求項８に記載の薬剤管理システム。
【請求項１０】
前記処方箋データには処方日及び処方した医師を特定する情報が含まれており、前記調剤データには調剤日及び調剤した薬剤師を特定する情報が含まれていることを特徴とする請求項９に記載の薬剤管理システム。
【請求項１１】
処方箋データを生成するステップと、調剤された薬剤に対して最小服用単位で個々に割り当てられた固有のＩＤを取得するステップと、前記処方箋データに含まれる処方内容と取得した前記ＩＤが示す薬剤の種類及び量とを照合するステップと、照合の結果を報知するステップとを備えることを特徴とする薬剤管理方法。
【請求項１２】
少なくとも前記ＩＤに基づいて調剤データを生成するステップと、前記処方箋データとこれに対応する前記調剤データとを関連づけるステップとをさらに備えることを特徴とする請求項１１に記載の薬剤管理方法。
【発明の詳細な説明】
【技術分野】
【０００１】
本発明は薬剤収容物に関し、特に、最小服用単位の薬剤を個別に収容可能な薬剤収容物に関する。また、本発明は薬剤管理システム及び薬剤管理方法に関し、特に、薬剤を最小服用単位ごとに管理可能な薬剤管理システム及び薬剤管理方法に関する。
【背景技術】
【０００２】
近年、投薬ミス等の医療過誤が大きな社会問題となっており、その根絶が強く叫ばれている。投薬ミスとしては、本来投与すべき薬剤とは異なる薬物を誤って患者に投与するケースが代表的であり、その他、投与すべき薬剤に誤りはないものの誤った量を投与するケース、さらには、ある患者に投与すべき薬剤を誤って別の患者に投与するケースなどが挙げられる。これらのケースは、いずれもその原因のほとんどが人為的ミス（ヒューマンエラー）によるものであることから、このような薬剤に関する人為的ミスを防止すべく、現在ＩＣタグを利用したいくつかの提案がなされている。
【０００３】
例えば、特許文献１では、主倉庫から各病棟に設置された倉庫へ薬剤を搬送する際に、搬送する薬剤の名称や使用期限、数量等が書き込まれたＩＣタグを発行し、このＩＣタグとともに必要数の薬剤を搬送することによって、ケースから取り出した端数の薬剤に対する管理効率を改善する提案がなされている。一方、特許文献２では、処方箋に基づいて必要な各種薬剤を患者別に梱包するとともに、患者のＩＤや処方した薬剤の種類が書き込まれたＩＣタグを発行し、梱包された薬剤容器から読み取ったコードとＩＣタグの内容と照合することによって投薬ミスを低減する提案がなされている。
【特許文献１】特開２００３−６３６５４号公報
【特許文献２】特開２００２−２６９２３４号公報
【発明の開示】
【発明が解決しようとする課題】
【０００４】
しかしながら、特許文献１に記載された手法では、主倉庫から各病棟の倉庫へ薬剤を搬送する際の人為的ミスについては防止可能であるものの、実際に患者に薬剤を投与乃至は交付する際に起きる人為的ミスについてはこれを防ぐことができない。
【０００５】
一方、特許文献２に記載された手法では、実際に患者に薬剤を投与する際に起きる人為的ミスをある程度防止可能であるものの、投与する薬剤の量については正確に管理することができないばかりか、院外処方箋薬のように患者が病院や薬局から薬剤を持ち帰り、病院外で服用する薬剤については、患者の手に渡った時点で、いつ誰が処方し、いつ誰が調剤した薬剤であるのか等をトレースすることは不可能である。
【０００６】
したがって、本発明の目的は、実際に患者に薬剤を投与乃至は交付する際、または調剤の際に起きる人為的ミスをより確実に防止することが可能な薬剤管理システム及び薬剤管理方法、並びに、これに使用可能な薬剤収容物を提供することである。
【０００７】
また、本発明の他の目的は、患者の手に渡った後においても当該薬剤に関する情報をトレース可能な薬剤管理システム及び薬剤管理方法、並びに、これに使用可能な薬剤収容物を提供することである。
【課題を解決するための手段】
【０００８】
投薬ミス等の医療過誤を防止すべく本発明者らが鋭意検討を重ねた結果、まとまった所定量の薬剤ごとにＩＤを割り当てたり、１回で処方される量の薬剤ごとＩＤを割り当てるだけでは不十分であり、最小服用単位の薬剤ごとに固有のＩＤを割り当てることが有効であるという結論に達した。本発明はこのような知見に基づきなされたものであって、本発明による薬剤収容物は、最小服用単位の薬剤を個別に収容可能な本体部と、前記本体部に収容された最小服用単位の薬剤ごとに固有のＩＤを保持する手段とを備えることを特徴とする。尚、本発明において「最小服用単位」とは、当該薬剤の服用についての最小単位であり、例えば、錠剤、丸剤、トローチ等であれば１錠、カプセル剤であれば１カプセル、顆粒剤であれば１包を指す。経口剤以外の薬剤についても同様である。
【０００９】
また、本発明による薬剤管理システムは、処方箋データを生成する手段と、調剤された薬剤に対して最小服用単位で個々に割り当てられた固有のＩＤを取得する手段と、前記処方箋データに含まれる処方内容と取得した前記ＩＤが示す薬剤の種類及び量とを照合し、その結果を報知する手段とを備えることを特徴とする。
【００１０】
さらに、本発明による薬剤管理方法は、処方箋データを生成するステップと、調剤された薬剤に対して最小服用単位で個々に割り当てられた固有のＩＤを取得するステップと、前記処方箋データに含まれる処方内容と取得した前記ＩＤが示す薬剤の種類及び量とを照合するステップと、照合の結果を報知するステップとを備えることを特徴とする。
【発明の効果】
【００１１】
本発明による薬剤収容物では、本体部が最小服用単位の薬剤を個別に収容可能であるとともに、最小服用単位の薬剤ごとに固有のＩＤを割り当てることが可能であることから、単に薬剤の種類を識別するだけでなく、最小服用単位の薬剤を個々に識別することが可能となる。これにより、投薬ミス等の人為的なミスをより効果的に防止することが可能となるとともに、院外処方箋薬のように、患者が病院や薬局から薬剤を持ち帰り、病院外で服用する薬剤についても、それがどのような薬剤であり、いつ誰が処方し、いつ誰が調剤した薬剤であるのか、使用期限はいつであるのか等をトレースすることが可能となる。
【００１２】
また、本発明による薬剤管理システム及び薬剤管理方法によれば、実際に調剤された薬剤が処方箋の内容と一致しているか否かを確実に検査できることから、誤った薬剤を患者に渡すというミスが防止されるのはもちろんのこと、薬剤の数についてのミスも防止することが可能となる。さらに、取得したＩＤに基づいて生成された調剤データを処方箋データと関連づけておけば、薬剤が患者の手に渡った後においても、薬剤に割り当てられたＩＤを読み出すことにより、いつ誰が処方し、いつ誰が調剤した薬剤であるのか等を簡単にトレースすることが可能となる。
【００１３】
このように、本発明によれば、実際に患者に薬剤を投与乃至は交付したり、調剤する際に起きる人為的ミスをより確実に防止することが可能となるばかりでなく、薬剤が患者の手に渡った後においても、薬剤に関する情報を簡単にトレースすることが可能となる。すなわち、本発明は投薬ミス等の医療過誤の根絶に極めて有効に作用するものである。
【発明を実施するための最良の形態】
【００１４】
以下、添付図面を参照しながら、本発明の好ましい実施の形態について詳細に説明する。
【００１５】
図１は、本発明の好ましい実施の形態による薬剤収容物１０の外観を示す略斜視図である。
【００１６】
図１に示すように、本実施形態による薬剤収容物１０は、最小服用単位の薬剤２０を個別に収容可能なシート状の本体部１２と、本体部１２に収容された最小服用単位の薬剤２０ごとに固有のＩＤ（以下、「薬剤ＩＤ」と言う）を保持するＩＣタグ１６（１６ａ〜１６ｊ）とを備えて構成されている。本体部１２は、複数の収容部１４ａ〜１４ｊによって最小服用単位の薬剤２０を個別に複数（図１に示す例では１０個）収容可能であり、ＩＣタグ１６は最小服用単位の薬剤２０ごとに割り当てられている。つまり、ＩＣタグ１６ａ〜１６ｊは、対応する収容部１４ａ〜１４ｊに収容された薬剤２０ごとに個々に割り当てられている。
【００１７】
本実施形態では、本体部１２に収容された薬剤２０は「錠剤」である。したがって、この場合の最小服用単位は「１錠」であり、本体部１２の各収容部１４ａ〜１４ｊには、薬剤２０がそれぞれ１錠ずつ収容されている。また、本体部１２は、２つの収容部ごとに設けられた分割部１８を有しており、分割部１８に沿って本体部１２を分割可能に構成されている。
【００１８】
ＩＣタグ１６ａ〜１６ｊは、上述のとおり、対応する収容部１４ａ〜１４ｊに収容された最小服用単位の薬剤２０ごとに割り当てられており、それぞれ対応する薬剤２０に固有の薬剤ＩＤを保持している。ここで言う「固有の薬剤ＩＤ」とは、薬剤２０の種類ごとに固有のＩＤではなく、最小服用単位の薬剤２０ごとに固有のＩＤ、つまり本例では１錠ごとに固有のＩＤを指す。したがって、同じ本体部１２に収容されている薬剤２０でも、それぞれに異なる薬剤ＩＤが割り当てられていることになる。薬剤ＩＤの内容については特に限定されないが、最小服用単位の薬剤２０をそれぞれ識別可能なコードの他、少なくとも、薬剤２０の種類を示す情報及び使用期限を示す情報が含まれていることが好ましい。もちろん、最小服用単位の薬剤２０を識別可能なコードに、これら情報が包含されていても構わない。
【００１９】
図２は、ＩＣタグ１６の具体的構成の一例を示すブロック図である。
【００２０】
図２に示すように、ＩＣタグ１６は、バス２２に接続されたＣＰＵ２４、メモリ２６及びＲＦ部２８と、ＲＦ部２８に接続されたアンテナ３０とを備えて構成されている。これら各要素についてはそれぞれ別個の部品であっても構わないが、これらの一部又は全部の機能をワンチップに集積することが好ましい。また、ＩＣタグ１６の動作に必要な電力については、アンテナ３０によって受信した電波の電力を利用することが可能である。
【００２１】
対応する薬剤２０ごとに割り当てられた薬剤ＩＤは、メモリ２６内に格納されており、無線通信によってその内容を外部から読み出すことができる。メモリ２６内に格納された薬剤ＩＤは、書き換え可能であっても構わないし、書き換えが不可能であっても構わない。すなわち、メモリ２６としては、書き換え可能なメモリ（フラッシュメモリやＥＥＰＲＯＭ等）を用いても構わないし、書き換えが不可能なメモリ（ＲＯＭ）を用いても構わない。
【００２２】
以上の構成を有する薬剤収容物１０は、最小服用単位の薬剤２０を個別に収容可能な本体部１２に、最小服用単位の薬剤２０ごとに固有の薬剤ＩＤを保持するＩＣタグ１６が設けられていることから、単に薬剤の種類を識別するだけでなく、最小服用単位の薬剤を個々に識別することが可能となる。これにより、投薬ミス等の人為的なミスをより効果的に防止することが可能となるとともに、院外処方箋薬のように、患者が病院や薬局から薬剤を持ち帰り、病院外で服用する薬剤についても、それがどのような薬剤であり、いつ誰が処方し、いつ誰が調剤した薬剤であるのか、使用期限はいつであるのか等をトレースすることが可能となる。
【００２３】
本体部１２へのＩＣタグ１６の取り付けは、対応する薬剤２０との関連づけが可能であればどの段階で行っても構わない。したがって、メーカが出荷前にＩＣタグ１６を取り付けても構わないし、或いは、病院や薬局にてＩＣタグ１６を取り付けても構わない。製造者や製造日、製造ロット等、より詳細な情報をＩＣタグ１６に持たせるためには、前者の段階で取り付けることが好ましい。ＩＣタグ１６の取り付け方法としては、本体部１２からの分離が防止される限り特に限定されず、例えば接着剤等を用いて貼り付ければよい。本体部１２からの分離をより確実に防止するためには、本体部１２の内部にＩＣタグ１６を埋め込んだり、本体部１２の一部に回路を形成することにより、本体部１２自体にＩＣタグの機能を持たせることが好ましい。
【００２４】
ＩＣタグ１６を取り付ける位置については本体部１２の形状等に基づいて決定すればよいが、本実施形態のように本体部１２に分割部１８が設けられている場合には、分割部１８に沿って本体部１２を分割した場合に、対応する薬剤２０とＩＣタグ１６とが分離しないよう配置する必要がある。
【００２５】
また、本実施形態のように、分割部１８に沿って本体部１２を分割しても最小服用単位の薬剤ごとに分離することができず、複数（２個）の薬剤が一体的に保持される場合には、ハサミ等を用いて患者が個々の薬剤に分離した場合であっても、対応する薬剤２０とＩＣタグ１６とが分離しないよう配置することが好ましい。つまり、図３に示すように、分割部１８に沿って分割しても本体部１２に２最小服用単位の薬剤が保持された状態となる場合には、隣り合う収容部１４ａと収容部１４ｂの中心線Ａからみてそれぞれ対応する収容部側にＩＣタグ１６ａ，１６ｂを配置すればよい。特に、図４に示すように、各収容部１４ａ，１４ｂ間に存在する領域Ｂを避けて配置すれば、ハサミ等によってこれらをどのように分離した場合であっても、対応する薬剤２０とＩＣタグ１６との分離を避けることが可能となる。以上は、本体部１２に分割部１８が全く設けられていない場合においても同様であり、この場合には、図５に示すように、隣接する各収容部間に存在する領域Ｂを避けてそれぞれＩＣタグ１６を配置すればよい。
【００２６】
さらには、図６に示すように、収容部１４自体にＩＣタグ１６を配置すれば、対応する薬剤２０とＩＣタグ１６との分離をほぼ確実に防ぐことが可能となる。
【００２７】
尚、上記実施形態では、本体部１２に収容された薬剤２０が錠剤であるが、最小服用単位で収容されている限り、薬剤の形態がこれに限定されるものではない。したがって、錠剤以外の経口剤、例えば、顆粒剤、丸剤、カプセル剤、トローチなどであっても構わないし、経口剤以外の薬剤、例えば、エキス剤、軟膏剤、貼付剤、パップ剤、坐剤、水剤、点眼剤、エアゾール剤、リモナーデ剤、懸濁剤、乳剤、浸剤・煎剤、流エキス剤、チンキ剤、シロップ剤、芳香水剤、エレキシル剤、リニメント剤、ローション剤などであっても構わない。但し、上記実施形態のように、本体部１２に収容された薬剤２０が錠剤等の経口剤である場合、例えば大人なら３錠というように、１回の服用量が最小服用単位の数倍であることが多く、しかも、小人なら２錠というように患者によっても上記倍数が異なることが一般的であることから、最小服用単位の薬剤がばらばらに保存される可能性が非常に高い。このため、最小服用単位の薬剤ごとに固有の薬剤ＩＤを割り当てる本発明の手法は、収容される薬剤が錠剤のような経口剤である場合において最も効果的であると言える。
【００２８】
また、上記実施形態では、本体部１２に複数の収容部１４ａ〜１４ｊが設けられ、これら複数の収容部１４ａ〜１４ｊに最小服用単位の薬剤が個別に収容されているが、本発明において本体部１２が最小服用単位の薬剤２０を複数収容可能である必要はなく、１最小服用単位（例えば１錠）の薬剤のみを収容するものであっても構わない。
【００２９】
さらに、上記実施形態では、本体部１２に分割部１８が設けられ、分割部１８に沿って本体部１２を分割可能に構成されているが、本発明においてこのような分割部１８を設けることは必須でない。但し、上記実施形態のように、本体部１２に分割部１８が設けられている場合、もともとは本体部１２によって一体的に保持されていた最小服用単位の各薬剤が、調剤等によって１又は２以上の最小服用単位（上記実施形態では２最小服用単位）の薬剤に分割してばらばらに保存される可能性が非常に高くなることから、このような場合、最小服用単位の薬剤ごとに固有の薬剤ＩＤを割り当てる本発明の手法は極めて有効となる。
【００３０】
さらに、上記実施形態では、最小服用単位の薬剤２０ごとに固有の薬剤ＩＤを保持する手段としてＩＣタグ１６を用いているが、本発明はこれに限定されるものではなく、バーコードや２次元コード等、光学的に読み取り可能な手段を用いて固有の薬剤ＩＤを保持することも可能であり、さらには、磁気コードのように磁気的に読み取り可能な手段を用いて固有の薬剤ＩＤを保持することも可能である。但し、本発明において割り当てられる薬剤ＩＤは、最小服用単位の薬剤２０ごとに固有のＩＤでありデータ量が比較的大きくなることや、複数の薬剤収容物１０を重ねた状態で一度に薬剤ＩＤを読み出す状況が想定されることを考慮すれば、保持可能なデータ量が大きく、且つ、無線通信が可能であるＩＣタグを用いることが最も好ましい。
【００３１】
次に、本発明による薬剤収容物を利用した薬剤管理システム及び薬剤管理方法について説明する。
【００３２】
図７は、本発明の好ましい実施形態による薬剤管理システムの構成を示す模式図である。
【００３３】
図７に示すように、本実施形態による薬剤管理システム４０は、医師用端末４２と、照合端末４４と、管理サーバ４６と、これらを相互に接続するネットワーク４８とを備えて構成されている。
【００３４】
医師用端末４２は、処方箋を発行する医師の操作により、後述する処方箋データを生成するとともに、これを少なくとも管理サーバ４６へ送信するための端末である。照合端末４４は、処方箋にしたがって調剤された薬剤が処方箋データの内容と一致しているか否かを照合するための端末である。照合端末４４には読み取り装置５０が接続されており、調剤した薬剤に関する情報はここで読み取られる。照合端末４４の操作は薬剤師によって行われ、生成される調剤データは少なくとも管理サーバ４６へ送信される。管理サーバ４６は、処方箋データ及び調剤データを蓄積し、これらを管理するために用いられる。
【００３５】
次に、薬剤管理システム４０を用いた薬剤管理方法について、フローチャートである図８を参照しながら説明する。
【００３６】
まず、医師が患者を診断すると、医師は、症状に応じた処方箋（紙）を患者に発行するとともに、医師用端末４２を用いて処方箋データを生成する（ステップＳ１）。図９は、処方箋データ６０のデータ構造の一例を示す図であり、本例では、患者ＩＤ６２、医師ＩＤ６４、処方内容６６、処方日６８によって処方箋データ６０が構成される。患者ＩＤ６２は各患者に固有のＩＤであり、医師ＩＤ６４は各医師に固有のＩＤである。処方内容６６は、処方すべき薬剤の種類及び量、並びに、服用方法等を示すデータであり、例えば、薬剤Ｘを５０錠、１日３回、１回２錠服用といった情報によって構成される。処方日６８は、当該処方箋データ６０を作成した日付である。医師用端末４２によって生成された処方箋データ６０は、管理サーバ４６へと送信され（ステップＳ２）、ここに保存される。尚、患者に発行する紙の処方箋には、少なくとも患者を特定するバーコード等を印字しておくことが好ましい。
【００３７】
次に、患者が病院内の薬剤部や調剤薬局に行き、医師より発行された処方箋（紙）を提示すると、薬剤師は、これにしたがって調剤を行う。調剤された薬剤は、本発明による薬剤収容物（図１参照）に収容された状態であり、したがって、最小服用単位の薬剤ごとに固有のＩＤ（薬剤ＩＤ）が割り当てられている。つまり、上記の例に従えば、５０錠の薬剤Ｘそれぞれに異なる薬剤ＩＤが割り当てられている。
【００３８】
調剤した薬剤は、本発明による薬剤収容物に収容された状態で、照合端末４４に接続された読み取り装置５０による検査にかけられ、割り当てられている薬剤ＩＤが読み出される（ステップＳ３）。読み取り装置５０の構成としては特に限定されず、ＩＣタグによって薬剤ＩＤが保持されている場合、図１０に示すように、無線送受信装置を内蔵した板状構造とし、薬剤収容物に収容された薬剤をその上に載置するか、これを無線通信エリア５２内にかざすことによって薬剤ＩＤを読み取る構成とすることができる。或いは、図１１に示すように、薬剤収容物に収容された薬剤を搬送するコンベア５４と、コンベア５４を跨ぐように配置された無線送受信ゲート５６を用い、コンベア５４によって搬送される薬剤が無線送受信ゲート５６を通過する際、薬剤収容物に設けられたＩＣタグとの無線通信を行うことにより各ＩＣタグに保持された薬剤ＩＤを取得する構成としても構わない。さらには、読み取り装置５０としてこのような専用の装置を用いる必要はなく、携帯電話機、ハンディーターミナル、ＰＤＡ端末、ポケットＰＣ、パーソナルコンピュータ等が有する無線送受信機能を利用しても構わない。
【００３９】
このようにして調剤した薬剤の薬剤ＩＤを取得すると、照合端末４４は、管理サーバ４６に対して当該患者の処方箋データを要求し、これを取得する（ステップＳ４）。この場合、処方箋（紙）に印字されたバーコード等を読み取り、これに基づいて処方箋データを要求すれば、異なる患者の処方箋データを取得するというミスを防止することができる。そして、照合端末４４は、管理サーバ４６より取得した処方箋データ内の処方内容６６と、読み取り装置５０より取得した薬剤ＩＤが示す薬剤の種類及び量とを照合し（ステップＳ５）、これらが一致しているか否かを判断する（ステップＳ６）。その結果、これらが一致していれば（ステップＳ６：ＹＥＳ）その旨を薬剤師に報知し（ステップＳ７）、薬剤師はこれに基づいて調剤した薬剤を実際に患者に渡す。一方、これらが一致していない場合（ステップＳ６：ＮＯ）にもその旨が薬剤師に報知され（ステップＳ８）、これにより薬剤師は調剤に誤りがあったことを知ることができる。この場合には、改めて調剤をやり直し、ステップＳ５に戻って再び照合を行う。尚、報知の手段としては、ランプやスピーカ等を用いればよい。
【００４０】
また、処方内容６６と薬剤ＩＤが示す薬剤の種類及び量とが一致した場合（ステップＳ６：ＹＥＳ）、照合端末４４は調剤データを生成し（ステップＳ９）、これを管理サーバ４６へ送信する（ステップＳ１０）。図１２は、調剤データ７０のデータ構造の一例を示す図であり、本例では、患者ＩＤ７２、薬剤師ＩＤ７４、薬剤ＩＤ７６、調剤日７８によって調剤データ７０が構成される。患者ＩＤ７２は各患者に固有のＩＤであり、薬剤師ＩＤ７４は各薬剤師に固有のＩＤである。薬剤ＩＤ７６は、調剤した薬剤に割り当てられていた全ての薬剤ＩＤであり、例えば、５０錠の薬剤Ｘを調剤した場合には５０個の薬剤ＩＤによって構成される。調剤日７８は、当該調剤データ７０を作成した日付であり、調剤した日及びこれを患者に受け渡した日と基本的に一致する。
【００４１】
そして最後に、管理サーバ４６は、医師用端末４２より取得した処方箋データ６０と、照合端末４４より取得した対応する調剤データ７０とを関連付ける（ステップＳ１１）。
【００４２】
このように、本実施形態による薬剤管理システムを用いた薬剤管理方法では、薬剤師が実際に調剤した薬剤が処方箋の内容と一致しているか否かを確実に検査できることから、誤った薬剤を患者に渡すというミスが防止されるのはもちろんのこと、薬剤の数についてのミスも防止することが可能となる。しかも、薬剤を受け渡した後は、処方箋データ６０と調剤データ７０とが関連づけられることから、患者の手に渡った後においても、薬剤収容物に設けられたＩＣタグ等により保持された薬物ＩＤを再び読み出し、管理サーバ４６内に蓄積されたデータと照合すれば、いつ誰が処方し、いつ誰が調剤した薬剤であるのか等を簡単にトレースすることが可能となる。もちろん、薬物ＩＤに、製造者、製造日、製造ロット等の情報を持たせておけば、これらについてもトレースすることが可能となる。
【００４３】
本発明は、以上説明した実施の形態に限定されることなく、特許請求の範囲に記載された発明の範囲内で種々の変更が可能であり、それらも本発明の範囲内に包含されるものであることはいうまでもない。
【００４４】
例えば、上記実施形態による薬剤管理方法では、紙の処方箋に基づいて薬剤師が調剤を行っているが、患者の本人確認が可能である限り、紙の処方箋を介在させることは必須でなく、これを電子的に行っても構わない。また、調剤についても、保管されている薬剤に個々に割り当てられた薬剤ＩＤを利用して自動的に行っても構わない。
【００４５】
また、上記実施形態による薬剤管理システム４０では、医師用端末４２、照合端末４４、管理サーバ４６及び読み取り装置５０がそれぞれ別個の装置であるが、これらが別個の装置である必要はなく、これらの一部又は全部が一体化された装置であっても構わない。逆に、医師用端末４２、照合端末４４、管理サーバ４６及び読み取り装置５０の少なくとも一つが複数の装置の集合によって構成されていても構わない。
【００４６】
さらに、上記実施形態による薬剤管理システム４０では、医師が医師用端末４２を操作することによって処方箋データを生成しているが、本発明がこれに限定されるものではなく、例えば、医師が紙の処方箋のみを発行し、薬剤師等がこの処方箋に基づき照合端末４４を操作することによって処方箋データを生成しても構わない。この場合、処方箋データの生成に必要な情報をバーコード等により紙の処方箋に記録しておくことが好ましい。
【図面の簡単な説明】
【００４７】
【図１】本発明の好ましい実施の形態による薬剤収容物１０の外観を示す略斜視図である。
【図２】ＩＣタグ１６の具体的構成の一例を示すブロック図である。
【図３】隣り合う収容部の中心線ＡからみてＩＣタグ１６を配置すべき位置を説明するため図である。
【図４】ＩＣタグ１６を配置すべきでない領域Ｂを説明するため図である。
【図５】ＩＣタグ１６を配置すべきでない領域Ｂを説明するため別の図である。
【図６】収容部１４自体にＩＣタグ１６を配置した例を示す図である。
【図７】本発明の好ましい実施形態による薬剤管理システム４０の構成を示す模式図である。
【図８】本発明の好ましい実施形態による薬剤管理方法を説明するためのフローチャートである。
【図９】処方箋データ６０のデータ構造の一例を示す図である。
【図１０】読み取り装置５０の一例を示す図である。
【図１１】読み取り装置５０の他の例を示す図である。
【図１２】調剤データ７０のデータ構造の一例を示す図である。
【符号の説明】
【００４８】
１０      薬剤収容物
１２      本体部
１４      収容部
１６      ＩＣタグ
１８      分割部
２０      薬剤
２２      バス
２６      メモリ
２８      ＲＦ部
３０      アンテナ
４０      薬剤管理システム
４２      医師用端末
４４      照合端末
４６      管理サーバ
４８      ネットワーク
５０      読み取り装置
５２      無線通信エリア
５４      コンベア
５６      無線送受信ゲート
６０      処方箋データ
６２      患者ＩＤ
６４      医師ＩＤ
６６      処方内容
６８      処方日
７０      調剤データ
７２      患者ＩＤ
７４      薬剤師ＩＤ
７６      薬剤ＩＤ
７８      調剤日
Ａ        中心線
Ｂ        各収容部間に存在する領域
【図１】
2005211601.tif 000003
【図２】
2005211601.tif 000004
【図３】
2005211601.tif 000005
【図４】
2005211601.tif 000006
【図５】
2005211601.tif 000007
【図６】
2005211601.tif 000008
【図７】
2005211601.tif 000009
【図８】
2005211601.tif 000010
【図９】
2005211601.tif 000011
【図１０】
2005211601.tif 000012
【図１１】
2005211601.tif 000013
【図１２】
2005211601.tif 000014